(57)【要約】【課題】キーレスエントリシステムの受信感度の向上を図ることを目的とする。【解決手段】送信機１は、周囲温度を検出して温度情報とキーレス制御情報とを含む暗号化キーレス情報信号を生成して送出する暗号化キーレス情報送出部５と、搬送周波数信号に変換する搬送周波数信号送信部７とを備える。受信機２は、得られた温度情報により複数設けられた中心周波数の異なる狭帯域濾波器の選択信号を出力する制御部１４と、制御部１４の制御により複数設けられた中心周波数の異なる狭帯域濾波器を選択する狭帯域濾波器選択部と、選択された狭帯域濾波器が出力した中間周波数信号をＦＳＫ復調してベースバンド信号とする第２のＦＳＫ復調部１６と、キーレス制御情報を取得する暗号化キーレス制御情報解読部１７と、制御信号を送出する制御信号送出部１８とを備える。【選択図】図１
2008172573.tif 000002
【特許請求の範囲】
【請求項１】
周囲温度を検出して温度情報を出力する温度検出部と、所定操作が行われたときに前記温度検出部により検出した前記温度情報を含む所定情報を送出する情報送出部と、前記情報送出部から出力される所定情報を所定の変調方式で変調を施して送信する送信部と、を備える送信機と、
受信した受信信号を中間周波数信号に変換する中間周波数変換部と、前記中間周波数信号より復調に必要な成分を広帯域で抽出する広帯域濾波器と、前記広帯域濾波器を通過した中間周波数信号を復調する第１の復調部と、前記第１の復調部において復調した情報から前記温度情報を取得する温度情報取得部と、前記広帯域濾波器より狭帯域で且つ中心周波数の異なる複数の狭帯域濾過器を有する狭帯域濾過部と、前記温度情報取得部において取得した前記温度情報に基づいて前記狭帯域濾過部から前記狭帯域濾過器を選択する制御を行う制御部と、前記狭帯域濾波器を通過した中間周波数信号を復調する第２の復調部と、を備える受信機と、
からなることを特徴とする送受信システム。
【請求項２】
前記受信機に周囲温度を検出して温度情報を出力する第２の温度検出部を備え、前記制御部は、前記送信機からの前記温度情報と前記第２の温度検出部で検出される前記温度情報に基づいて前記狭帯域濾過部から前記狭帯域濾過器を選択することを特徴とする請求項１に記載の送受信システム。
【請求項３】
前記送信機に、前記温度検出部により検出した前記温度情報に基づいて前記狭帯域濾過部から狭帯域濾過器を選択する選択情報を生成する選択情報生成部を備え、
前記制御部は、前記送信機から送信されてくる前記選択情報に基づいて前記狭帯域濾過部から前記狭帯域濾過器を選択することを特徴とする請求項１に記載の送受信システム。
【請求項４】
周囲温度を検出して温度情報を出力する温度検出部と、
所定操作が行われたときに前記温度検出部により検出した前記温度情報を含む所定の情報を送出する情報送出部と、
前記情報送出部から出力される所定の情報を所定の変調方式で変調を施して送信する送信部と、
を備えることを特徴とする送信機。
【請求項５】
受信信号を中間周波数信号に変換する中間周波数変換部と、
前記中間周波数信号より復調に必要な成分を広帯域で抽出する広帯域濾波器と、
前記広帯域濾波器を通過した中間周波数信号を復調する第１の復調部と、
前記第１の復調部において復調した情報から温度情報を取得する温度情報取得部と、
前記広帯域濾波器より狭帯域で且つ中心周波数の異なる複数の狭帯域濾過器を有する狭帯域濾過部と、
前記温度情報取得部により取得した前記温度情報に基づいて前記狭帯域濾過部から前記狭帯域濾過器を選択する選択制御を行う選択制御部と、
前記狭帯域濾波器を通過した中間周波数信号を復調する第２の復調部と、
を備えることを特徴とする受信機。
【請求項６】
請求項１乃至３の何れか１項に記載の送受信システムを備えたことを特徴とするキーレスエントリシステム。
【発明の詳細な説明】
【技術分野】
【０００１】
本発明は送受信システム、送信装置及び受信装置に関わり、特に車両のドアーの施錠・開錠などに用いられるキーレスエントリシステムに好適なものである。
【背景技術】
【０００２】
近年、車両のドアーの施錠・開錠を、キーをキーシリンダーに差し込まなくても、ボタン一つで行うことができる所謂キーレスエントリシステムが普及している。
キーレスエントリシステムには、例えば微弱電波を用いた送受信システムが利用されている。このようなキーレスエントリシステムでは、車両用のキーに設けられたスイッチを押下すると、送信機より暗号化がなされたキーレス情報信号が送出される。そして、車両本体に設けられた受信機において暗号化されたキーレス情報信号を受信すると、解読して所定のキーレス情報であれば、車両のドアーを施錠・開錠するようにしている。
【０００３】
図９は従来のキーレスエントリシステムの構成を示した図である。
この図９に示す従来のキーレスエントリシステムは、車両用のキーに設けられた送信機１０１と、車両本体に設けられた受信機１０２とにより構成される。
送信機１０１は、暗号化キーレス情報送出部１０３、スイッチ１０４、搬送周波数信号送信部１０５、及び送信アンテナ１０６を備えている。
一方、受信機１０２は、受信アンテナ１０７、搬送周波数信号受信部１０８、暗号化キーレス情報解読部１０９、制御信号送出部１１０を備えている。
このように構成される従来のキーレスエントリシステムでは、運転者が例えば車両のドアーの開閉を行う際にキーに備えたスイッチ１０４を押下すると、暗号化されたキーレス情報信号が暗号化キーレス情報送出部１０３より送出される。暗号化されたキーレス情報信号は、搬送周波数信号送信部１０５において変調が施された後、送信アンテナ１０６を介して空間に放射される。
一方、車両本体に設けられた受信機１０２においては、アンテナ１０７を介して搬送周波数信号を受信し、搬送周波数信号受信部１０８において、入力した搬送周波数信号をミキシングすることにより中間周波数信号に変換した後、復調される。復調された信号は、暗号化キーレス情報解読部１０９においてキーレス情報信号を解読し、解読したキーレス情報を予め決められている車両に固有のキーレス情報と照合し、一致する場合は、制御信号送出部１１０より制御信号を送出してドアーの施錠或いは開錠を行う。
【０００４】
次に、搬送周波数信号受信部１０８の詳細な構成を示して、その問題点について説明する。
図１０は従来の受信機に備えた搬送周波数受信部の構成を示したブロック図である。
この図１０に示す搬送周波数受信部１０８は、受信帯域濾波器１１１、受信増幅器１１２、局部発振器１１３、ミキサー部１１４、中間周波数帯域濾波器１１５、及びＦＳＫ復調部１１６により構成される。
このような搬送周波数受信部１０８では、アンテナ１０７を介してＦＳＫ変調信号された搬送周波数信号を受信帯域濾波器１１１に入力して不要な雑音成分を除去する。不要な雑音成分が除去された搬送周波数信号は、受信増幅器１１２に入力されて、所望のレベルに増幅される。増幅された搬送周波数信号は、局部発振器１１３が出力する周波数信号とミキサー部１１４においてミキシングされて中間周波数信号に変換される。
中間周波数帯域濾波器１１５は、変換された中間周波数信号を入力して復調に必要な成分のみを抽出し、抽出した中間周波数信号をＦＳＫ復調部１１６に入力する。ＦＳＫ復調部１１６では、中間周波数信号をベースバンド信号であるキーレス情報信号に復調するようにしている。なお、先行文献１としては特許文献１がある。
【特許文献１】特開平１１−３４８７３２号公報
【発明の開示】
【発明が解決しようとする課題】
【０００５】
ところで、上記したようなキーレスエントリシステムは、車両用のキー側に設けられた送信機と、車両本体に設けられた受信機とでは周囲の温度環境が異なることが多い。
例えば、車両を屋外に駐車した場合、車両本体側に設けられる受信機の周囲温度は、ほぼ外気温に等しくなる。これに対して、キー側に設けられた送信機は、ユーザが持ち歩くためユーザの周囲温度とほぼ等しくなる。このため、車両の駐車環境とユーザが滞在する場所の環境が大きく異なる場合は、受信機の周囲温度と送信機の周囲温度が大きく異なる場合がある。このため、キーレスエントリシステムに使用される送受信システムでは、送信機側の温度と受信機側の温度が大きく異なる場合でも所定の性能が維持されるように、受信機の中間周波数帯域濾波器１１５の通過帯域を広帯域化するようにしていた。
しかしながら、受信機の中間周波数帯域濾波器１１５の通過帯域を広帯域とした場合は、受信機の受信感度が低下して送信可能距離が短くなるという問題点があった。
【０００６】
また、上記したような受信感度の低下を改善する手段として、特許文献１に示した手法が開示されている。特許文献では、受信感度を改善するために中間周波数帯域濾波器を狭帯域とする一方、広帯域の帯域濾波器を有した受信レベルの検出回路を備え、その受信レベルが最大となるよう局部発振器の周波数を制御する。そして、得られる中間周波数信号の周波数が狭帯域な中間周波数帯域濾波器の中心周波数と一致するよう局部発振器の周波数を制御することにより受信感度を改善するようにしている。しかしながら、特許文献１では、受信機の回路が複雑となり、受信性能の安定度の劣化やコストアップなどを招くという問題点があった。
本発明は、上述したような問題を解決するためになされたものであって、送信機と受信機の周囲環境が異なるような場合でも受信機の受信感度の向上を図ることができる送受信システム、送信機、及び受信機を提供することを目的とする。
【課題を解決するための手段】
【０００７】
上記目的を達成するために本発明の送受信システムは、周囲温度を検出して温度情報を出力する温度検出部と、所定操作が行われたときに温度検出部により検出した温度情報を含む所定情報を送出する情報送出部と、情報送出部から出力される所定情報を所定の変調方式で変調を施して送信する送信部と、を備える送信機と、受信した受信信号を中間周波数信号に変換する中間周波数変換部と、中間周波数信号より復調に必要な成分を広帯域で抽出する広帯域濾波器と、広帯域濾波器を通過した中間周波数信号を復調する第１の復調部と、第１の復調部において復調した情報から温度情報を取得する温度情報取得部と、広帯域濾波器より狭帯域で且つ中心周波数の異なる複数の狭帯域濾過器を有する狭帯域濾過部と、温度情報取得部において取得した温度情報に基づいて狭帯域濾過部から狭帯域濾過器を選択する制御を行う制御部と、狭帯域濾波器を通過した中間周波数信号を復調する第２の復調部と、を備える受信機と、からなる。
このような本発明の送受信システムによれば、送信機に周囲温度の検出機能を設け、受信機側に検出した温度情報を送信するようにした。一方、受信機においては、送信機からの温度情報に基づいて狭帯域濾波部に設けられた中心周波数の異なる複数の狭帯域濾波器から最適な狭帯域濾波器を選択するようにした。このようにすれば、中間周波数濾波器を狭帯域としたことにより受信機側での熱雑音電力が改善され、受信感度を向上させることができる。
【０００８】
また本発明の送受信システムは、受信機に周囲温度を検出して温度情報を出力する第２の温度検出部を備え、制御部は送信機からの温度情報と第２の温度検出部で検出される温度情報に基づいて狭帯域濾過部から狭帯域濾過器を選択するようにした。
このような本発明の送受信システムによれば、受信機においても周囲温度を検出するよう構成したので、送信機側より送信される温度情報と受信機側で検出した温度情報とを基により精度の高い最適な中心周波数の狭帯域濾波器を選択することが可能となる。
【０００９】
また本発明の送受信システムは、送信機に、温度検出部により検出した温度情報に基づいて狭帯域濾過部から狭帯域濾過器を選択する濾過器選択情報を生成する信号生成部を備え、選択制御部は、送信機からの濾過器選択情報に基づいて狭帯域濾過部から狭帯域濾過器を選択するようにした。
このような本発明の送受信システムによれば、送信機から受信機に対して受信機側に備えた複数の中心周波数の異なる狭帯域濾波器を選択する制御信号を送出するようにしたことで、受信機側において、受信した温度情報を基にどの狭帯域濾波器を選定すればよいかを判別する必要がなくなり、制御信号を受信後、直ちに複数の狭帯域濾波器から最適な中心周波数の狭帯域濾波器を選択することが可能になる。
【００１０】
また本発明の送信機は、周囲温度を検出して温度情報を出力する温度検出部と、所定操作が行われたときに前記温度検出部により検出した温度情報を含む所定の情報を送出する情報送出部と、情報送出部から出力される所定の情報を所定の変調方式で変調を施して送信する送信部とを備えるようにした。
このような本発明の送信機によれば、周囲温度の検出機能を設けたことで、送信機から情報を受信する受信機において送信側の周囲温度を把握することが可能になり、送信側の送信機の周囲温度に応じた制御が可能になる。
【００１１】
また本発明の受信機は、受信した受信信号を中間周波数信号に変換する中間周波数変換部と、中間周波数信号より復調に必要な成分を広帯域で抽出する広帯域濾波器と、広帯域濾波器を通過した中間周波数信号を復調する第１の復調部と、第１の復調部において復調した情報から温度情報を取得する温度情報取得部と、広帯域濾波器より狭帯域で且つ中心周波数の異なる複数の狭帯域濾過器を有する狭帯域濾過部と、温度情報取得部により取得した温度情報に基づいて狭帯域濾過部から狭帯域濾過器を選択する制御を行う制御部と、狭帯域濾波器を通過した中間周波数信号を復調する第２の復調部と、を備えるようにした。
このような本発明の受信機によれば、送信機から送信されてくる温度情報に基づいて、狭帯域濾波部に設けられた中心周波数の異なる複数の狭帯域濾波器から最適な狭帯域濾波器を選択するようにした。これにより、中間周波数濾波器を狭帯域としたことにより受信機側での熱雑音電力が改善され、受信感度を向上させることができる。
【００１２】
また本発明のキーレスエントリシステムは、本発明の送受信システムを備えたことを特徴とする。
このような本発明のキーレスエントリシステムによれば、送信機と受信機との間の送信可能距離を長くすることができ、キーレスエントリシステムを使用する上で大きな効果を発揮する。
【発明を実施するための最良の形態】
【００１３】
以下、図示した実施形態に基づいて本発明を詳細に説明する。
本発明においては、送信機に温度センサを備えて送信機側の周囲温度情報を受信機に送信すると共に、受信機においては、中心周波数の異なる狭帯域濾波器を複数備える。そして、受信機において取得した前記温度情報を基に搬送周波数ズレを把握し、この搬送周波数ズレに対応した最適な中心周波数の狭帯域濾波器を選択するようにした。従って、狭帯域濾波器を使用することにより受信機における受信感度の向上を図るものである。
【００１４】
以下、本実施形態として本発明の送受信システムを適用したキーレスエントリシステムについて説明する。
図１は、第１の実施形態に係るキーレスエントリシステムの構成を示したブロック図である。
この図１に示すキーレスエントリシステムは、車両用のキーに備えた送信機１と、車両本体に備えた受信機２とにより構成される。
送信機１は、周囲温度を検出する温度センサ３を備える温度検出部４と、温度検出部４が検出した温度情報とキーレス制御情報とを含む暗号化キーレス情報信号を生成して送出する暗号化キーレス情報送出部５と、ユーザにより所定の操作が行われたときに暗号化キーレス情報信号を送出するためのスイッチ６と、ベースバンド信号である暗号化キーレス情報信号を入力し、例えば、ＦＳＫ変調された搬送周波数信号に変換する搬送周波数信号送信部７と、搬送周波数信号を空間に放射するアンテナ８とにより構成される。
【００１５】
受信機２は、アンテナ９、中間周波数変換部１０、広帯域濾波器１１、ＦＳＫ復調部１２、暗号化温度情報解読部（温度情報取得部）１３、制御部１４、狭帯域濾波部１５、第２のＦＳＫ復調部１６、暗号化キーレス制御情報解読部１７、及び制御信号送出部１８とにより構成される。なお、図１の点線で囲った部分が搬送周波数信号受信部１９を構成している。
アンテナ９は、空間に放射された搬送周波数信号を受信する。中間周波数変換部１０は受信した搬送周波数信号を中間周波数信号に変換する。広帯域濾波器１１は、中間周波数変換部１０により変換された中間周波数信号より復調に必要な成分を抽出する。
第１のＦＳＫ復調部１２は広帯域濾波器１１により入力される中間周波数信号をＦＳＫ復調してベースバンド信号として出力する。暗号化温度情報解読部１３は、暗号化されたベースバンド信号を解読して温度情報を取得する。
制御部１４は、暗号化温度情報解読部１３により得られた温度情報を基に、後述する狭帯域濾波部１５に設けられている複数の狭帯域濾波器の中から最適な狭帯域濾波器を選択する制御を行う。
狭帯域濾部１５は、広帯域濾波器１１より狭帯域で且つ中心周波数の異なる複数の狭帯域濾過器を有する。第２のＦＳＫ復調部１６は、狭帯域濾部１５から出力された中間周波数信号をＦＳＫ復調してベースバンド信号として出力する。
暗号化キーレス制御情報解読部１７は、暗号化されたベースバンド信号を解読してキーレス制御情報を取得する。
制御信号送出部１８は、解読したキーレス制御情報と予め定められた車両に固有なキーレス制御情報とを照合して、一致した際はドアーの施錠・開錠を行う制御信号を送出する。
【００１６】
次に、上記した本実施形態のキーレスエントリシステムの動作について説明する。
送信機１において、温度検出部４は、温度センサ３を用いて送信機１の周囲温度を検出し、温度情報を暗号化キーレス情報送出部５に入力する。
暗号化キーレス情報送出部５においては、例えば、入力した温度情報と車両に固有に割り当てられたキーレス制御情報とを基に所定のフレーム構造のキーレス情報信号を生成し、さらに所定のアルゴリズムで暗号化して「０」、「１」信号からなる２値情報の暗号化キーレス情報信号を生成する。そして、所定操作としてスイッチ６が押下されると暗号化キーレス情報信号を搬送周波数信号送信部７へ出力する。ベースバンド信号である暗号化キーレス情報信号は、搬送周波数信号送信部７に入力されると、前記「０」、「１」信号に対して搬送中心周波数が変移するＦＳＫ変調信号を生成する。そして、ＦＳＫ変調信号からなる搬送周波数信号は、アンテナ８を介して空間に放射される。なお、暗号化キーレス情報信号は、受信動作を確実に行えるよう前記スイッチ６を押下すると複数回送出される。
【００１７】
一方、受信機２において、アンテナ９により受信した搬送周波数信号は、中間周波数変換部１０に入力され、搬送波周波数信号が中間周波数信号に変換される。中間周波数信号に変換された暗号化キーレス情報信号は、広帯域濾波器１１により必要な成分のみが抽出された後、第１のＦＳＫ復調部１２において復調されてベースバンド信号である暗号化キーレス情報信号となる。
暗号化温度情報解読部１３においては、暗号化されたキーレス情報信号を解読し、所定のフレーム構造のキーレス情報信号に含まれている温度情報を取得し、制御部１４に入力する。
制御部１４は、入力された温度情報を基に狭帯域濾波部１５に備えた中心周波数の異なる複数の狭帯域濾波器から最適な狭帯域濾波器を選択するための制御信号を生成し狭帯域濾波部１５に入力する。狭帯域濾波部１５は、制御部１４により選択された最適な狭帯域濾波器を中間周波数変換部１０に接続し、中間周波数変換部１０が出力する中間周波数信号から復調に必要な成分のみを抽出して第２のＦＳＫ復調部１６に入力する。第２のＦＳＫ復調部１６は、入力された中間周波数信号をＦＳＫ復調して暗号化キーレス情報からなるベースバンド信号に変換し、ベースバンド信号を暗号化キーレス制御情報解読部１７に入力する。暗号化キーレス制御情報解読部１７は、暗号化されたキーレス情報信号を解読し、所定のフレーム構造のキーレス情報信号に含まれているキーレス制御情報を取得し、制御信号送出部１８に入力する。そこで、制御信号送出部１８は、取得したキーレス制御情報を車両に固有に割り当てられたキーレス情報と照合し、一致する場合は、車両のドアーの施錠、或いは開錠を行う制御信号を出力する。
【００１８】
ここで、送信機１の構成をさらに詳しく説明する。
図２は、第１の実施形態における送信機の詳細な構成を示したブロック図である。なお、図１と同一部位には同一符号を付して詳細な説明は省略する。
この図２に示すように、暗号化キーレス情報送出部５は、温度情報信号生成部２０と、キーレス制御信号生成部２１と、暗号化キーレス情報信号生成部２２とにより構成される。
温度情報信号生成部２０は、温度検出部４が検出した温度情報を所定のデジタル化した２値信号に変換する。キーレス制御信号生成部２１は、車両に固有に割り当てられたキーレス制御信号を生成する。暗号化キーレス情報信号生成部２２は、温度情報信号とキーレス制御信号とを入力し、暗号化された所定のフレーム構成からなる暗号化キーレス情報信号を生成する。
このように構成される暗号化キーレス情報送出部５は、温度情報信号生成部２０が、温度検出部４が検出した送信機の周囲温度を示す温度情報を入力し、所定のビット数のデジタル信号に変換する。また、キーレス制御信号生成部２１は、車両に割り当てられた固有のキーレス情報を含む所定のビット数のキーレス制御信号を生成する。そして、暗号化キーレス情報信号生成部２２は、入力した温度情報信号と、送信機に固有に割り当てられたキーレス制御信号とを入力して所定のフレーム構成のキーレス情報信号を生成する。さらに、暗号化キーレス信号生成部２２は、前記キーレス情報信号を所定のアルゴリズムで暗号化し、「０」、「１」信号からなる２値情報の暗号化キーレス情報信号（ベースバンド信号）を生成して、スイッチ６が押下されると暗号化キーレス情報信号を搬送周波数信号送信部７に出力する。
【００１９】
次に、所定のフレーム構成の暗号化キーレス情報信号について説明する。
図３は、暗号化キーレス情報信号のフレーム構成例を示した図である。
図３に示す暗号化キーレス情報信号は、フレームの先頭に温度情報を含む温度情報信号のビット列を配置し、次に所定時間の信号の送出停止時間を設け、その後、キーレス制御信号を含むビット列を配置している。前記信号の送出停止時間は、受信機側において暗号化された温度情報信号を解読し、狭帯域濾波部１５から最適な狭帯域濾波器を選択終了するまでに必要な時間である。なお、暗号化キーレス情報信号は、受信機において、確実に暗号化されたキーレス情報を解読できるよう複数回、繰り返し送出することが好ましい。
【００２０】
次に、図２を用いて搬送周波数信号送信部７について説明する。
図２に示すように、搬送周波数信号送信部７は、入力したベースバンド信号をＦＳＫ変調するＦＳＫ変調部２３と、ＦＳＫ変調された暗号化キーレス情報信号を所定のレベルに調整してアンテナ８を介して空間に放出する送信増幅器２４とにより構成される。
このように構成される搬送周波数信号送信部７は、ＦＳＫ変調部２３が、例えば、電圧制御圧電発振器などを用い、ベースバンド信号を制御電圧として入力し、ベースバンド信号の「１」、「０」信号に対応した制御電圧により、電圧制御圧電発振器の出力周波数を中心周波数±Δｆに変移する。この場合、ＦＳＫ変調された変移周波数信号が搬送周波数信号となる。送信増幅器２４は、ＦＳＫ変調部２３が出力する搬送周波数信号のレベル調整機能を備えており、所定のレベルに調整した後、アンテナ８を所定のインピーダンスに調整する。
【００２１】
次に、受信機２についてさらに詳しく説明する。
図４は、第１の実施形態における受信機の詳細な構成を示したブロック図である。なお、図１と同一な部分には同一符号を付す。
この図４に示す中間周波数変換部１０は、受信した搬送周波数信号より雑音などの不要成分を除去する受信帯域濾波器２５と、受信した搬送周波数信号を所定のレベルに増幅する受信増幅器２６と、受信した搬送周波数信号を中間周波数信号に変換するための局部発振器２７と、搬送周波数信号と局部発振器２７が出力する周波数信号とをミキシングするミキサー２８とにより構成される。
このように構成される中間周波数変換部１０は、アンテナ９を介してＦＳＫ変調信号からなる搬送周波数信号を受信して受信帯域濾波器２５に入力し、不要な雑音成分を除去する。次に、搬送周波数信号は、受信増幅器２６に入力されて、所望のレベルに増幅される。増幅された搬送周波数信号は、局部発振器２７が出力する周波数信号とミキサー部２８においてミキシングされ、中間周波数信号に変換される。搬送周波数信号は、例えば、３１２〜３１５ＭＨｚであり、ＦＳＫ変調に必要な帯域は、１０〜１００ｋＨｚ程度とされる。また、中間周波数信号は、一般的に４５５ｋＨｚが使用されるので、搬送周波数信号と局部発振器が出力する周波数信号とをミキシングした際に、受信したＦＳＫ変調波の中心周波数が４５５ｋＨｚとなるように局部発振器の出力周波数が決定される。
【００２２】
次に、制御部１４及び狭帯域濾波部１５について説明する。狭帯域濾波部１５は、制御部１４の制御により選択動作が行われる切替スイッチ部２９と、切替スイッチ部２９の切替動作により選択される第１の狭帯域濾波器３０と、第２の狭帯域濾波器３１と、・・・第ｎの狭帯域濾波器３２とにより構成される。
制御部１４では、暗号化温度情報解読部１３からの温度情報の温度に基づいて第１の狭帯域濾波器３０、第２の狭帯域濾波器３１、第ｎの狭帯域濾波器３２の何れかの狭帯域濾波器を選択する。このため、制御部１４は、図５に示すように温度−２０〜０℃のときは第１の狭帯域濾波器３０を、０〜２０℃のときは第２の狭帯域濾波器３１を、２０℃〜６０℃のときは第ｎの狭帯域濾波器３２をそれぞれ選択するよう制御する。
第１の狭帯域濾波器３０、第２の狭帯域濾波器３１、第ｎの狭帯域濾波器３２は、従来から使用されている比較的広帯域な濾波器の通過帯域特性を、複数の中心周波数の異なる狭帯域濾波器の通過帯域特性により分割したような周波数特性を有している。
【００２３】
図６は、狭帯域濾波器の周波数特性を示す図である。
図６に示すように、複数の中心周波数の異なる狭帯域濾波器は、従来使用されていた広帯域な濾波器の通過帯域を複数の中心周波数の異なる狭帯域濾波器の通過帯域で分割するような周波数特性を有している。従って、受信機において受信したＦＳＫ変調信号を第２のＦＳＫ変調器１６により復調する際は、中間周波数帯域濾波器が狭帯域となる。
【００２４】
ここで、受信感度Ｓは
（数１）
2008172573.tif 000003
のように示すことができる。
上記（数１）によれば、狭帯域濾過器（ＩＦフィルタ）を使用することによって通過帯域幅Ｂが小さくなるので、熱雑音電力ｎ０が改善されて受信感度の向上を図ることができる。
【００２５】
以上説明したように、第１の実施形態のキーレスエントリシステムにおいては、送信機１より受信機２へ周囲温度情報を送信し、受信機２においては、送信された温度情報に基づいて、最適な中心周波数の狭帯域濾波器を選択して使用するようにした。温度情報を取得するためのＦＳＫ復調の際は、中間周波数帯域濾波器として従来方式と同様な比較的広帯域な帯域濾波器を使用して、周囲温度変動により搬送周波数や帯域濾波器の周波数特性が変動しても、確実にＦＳＫ変調信号を受信できるようにした。この場合、中間周波数帯域濾波器が広帯域となることから受信側でのＳ／Ｎや熱雑音電力が多少劣化するが、温度情報の情報量は少ないため、温度データを簡易化して雑音に強い符号化方式とすることで、確実に温度情報を取得することが可能である。
一方、キーレス制御情報を取得するＦＳＫ復調を行う際は、周囲温度変動により搬送周波数が変動しても、周囲温度情報に基づいて変動に対応した中心周波数の狭帯域濾波器を使用するので、受信機側でのＳ／Ｎや熱雑音電力等が向上して受信感度を高めることが可能となる。
【００２６】
次に、本発明に係るキーレスエントリシステムの第１の実施形態の変形例について説明する。本変形例は、送信機から送られてくる温度情報に加え、受信機においても周囲温度情報を検出するよう構成したものであり、送信機側と受信機側のそれぞれの温度情報を基に、より精度の高い最適な中心周波数の狭帯域濾波器を選択するよう動作させたものである。
図７は、本発明に係るキーレスエントリシステムの第１の実施形態の変形例の構成を示す図である。図７は受信機の構成を示し、変形させた構成要素の説明に必要な部分を記載している。また、記載していない他の構成要素は、図１に示したキーレスエントリシステムの受信機と同一である。
この図７に示す受信機３３において、温度センサ３４と温度検出部３５とにより受信機３３の周囲温度を検出し、制御部３６に入力する。制御部３６は、暗号化温度情報解読部１３より取得した送信機の温度情報と、温度検出部３５より取得した受信機３３の温度情報とを基に、複数の中心周波数の異なる狭帯域濾波器から最適なものを選択し、制御信号を狭帯域濾波部１５に入力する。従って、狭帯域濾波器を選択する際に、より精度の高い選択が可能となり、受信感度の向上に貢献する。
【００２７】
次に、本発明の第２の実施形態について説明する。
前述した第１の実施形態においては、送信機から受信機へ、送信機の周囲温度情報を送出していたが、第２の実施形態においては、送信機から受信機に対して、受信機側に備えた複数の中心周波数の異なる狭帯域濾波器から最適な狭帯域濾波器を選択する制御信号を送出することとした。送信機は、温度検出部により検出した温度情報を基に、受信機側に備えた複数の中心周波数の異なる狭帯域濾波器からどの狭帯域濾波器を選定すればよいかを識別し、識別した狭帯域濾波器を選択するための制御信号を受信機に送出する。従って、このような方式を採用することにより、受信機側において、受信した温度情報を基にどの狭帯域濾波器を選定すればよいかを識別する必要がなくなり、前記選択制御信号を受信後、直ちに複数の狭帯域濾波器から最適な中心周波数の狭帯域濾波器を選択することができる。従って、前述した暗号化キーレス信号のフレーム構成の信号の送出停止時間が不要となる。
【００２８】
図８は、本発明に係るキーレスエントリシステムの第２の実施形態を示す構成図である。図８は、第２の実施形態の特徴の説明に必要な部分を記載しており、記載していない他の構成要素は、図１に示したキーレスエントリシステムの構成要素と同一である。送信機３７において、暗号化キーレス情報送出部３８は、温度検出部４より入力した周囲温度情報に基づいて、受信機に備えた複数の中心周波数の異なる狭帯域濾波器から、周囲温度に対応した最適な狭帯域濾波器の選択制御信号を送出する狭帯域濾波器選択制御信号生成部（以下、「制御信号生成部」と称する）３９と、車両に固有に割り当てられたキーレス制御信号を生成するキーレス制御信号生成部２１と、前記選択制御信号と前記キーレス制御信号とを入力し、所定のフレーム構成の暗号化キーレス情報信号を生成する暗号化キーレス情報信号生成部４０と、暗号化キーレス情報信号を送出するためのスイッチ６とにより構成される。
【００２９】
このように構成される暗号化キーレス情報送出部３８では、制御信号生成部３９において、温度検出部４が検出した送信機の周囲温度を示す温度情報を入力し、その温度情報の数値により、受信機に備えた複数の中心周波数の異なる狭帯域濾波器から周囲温度に対応した最適な狭帯域濾波器を選択するための選択制御信号を生成する。選択制御信号は、所定のビット数のデジタル信号からなる信号である。
また、キーレス制御信号生成部２１は、車両に割り当てられた固有のキーレス情報を含む所定のビット数のキーレス制御信号を生成する。そして、暗号化キーレス情報信号生成部４０は、前記選択制御信号と、前記キーレス制御信号とを入力して所定のフレーム構成のキーレス情報信号を生成する。さらに、暗号化キーレス情報信号生成部４０は、キーレス情報信号を所定のアルゴリズムで暗号化して「０」、「１」信号からなる２値情報のベースバンド信号として、スイッチ６が押下されると暗号化キーレス情報信号を搬送周波数信号送信部７に出力する。
次に、受信機４１の暗号化選択制御信号解読部４２は、第１のＦＳＫ復調部１２が復調したベースバンド信号を入力し、暗号化された前記選択制御信号を解読し、選択制御信号を制御部４３に入力する。制御部４３は、選択制御信号を入力して、狭帯域濾波部１５に備えた複数の中心周波数の異なる狭帯域濾波器を選択するための切替信号を狭帯域濾波部１５に出力する。
【００３０】
これまで説明した本実施形態のキーレスエントリシステムでは暗号化キーレス情報信号を変調する手段としてはＦＳＫ変調方式を例に挙げて説明したが、これはあくまでも一例であり、ＡＳＫ（振幅変移）変調方式を用いてもよい。
また本実施形態では、本発明の送受信システムをキーレスエントリシステムに適用した場合を例に挙げて説明したが、これはあくまでも一例であり、例えば、ＲＦ  ＩＤシステムなど各種送受信システムにも適用可能であることは言うまでもない。
【図面の簡単な説明】
【００３１】
【図１】本発明の第１の実施形態に係るキーレスエントリシステムの構成を示したブロック図である。
【図２】図１に示した送信機の詳細な構成を示した図である。
【図３】暗号化キーレス情報信号のフレーム構成例を示す図である。
【図４】第１の実施形態における受信機の詳細な構成を示したブロック図である。
【図５】温度情報によるＩＦフィルタ選択対応を示した図である。
【図６】狭帯域濾波器の周波数特性を示す図である。
【図７】第１の実施形態の変形例を示した図である。
【図８】本発明の第２の実施形態に係るキーレスエントリシステムの構成を示したブロック図である。
【図９】従来のキーレスエントリシステムの構成を示したブロック図である。
【図１０】従来の受信機に備えた搬送周波数受信部の構成示したブロック図である。
【符号の説明】
【００３２】
１、３７…送信機、２、３３、４１…受信機、３、３４…温度センサ、４、３５…温度検出部、５、３８…暗号化キーレス情報送出部、６…スイッチ、７…搬送周波数信号送信部、８、９…アンテナ、１０…中間周波数変換部、１１…広帯域濾波器、１２…第１のＦＳＫ復調部、１３…暗号化温度情報解読部、１４、３６、４３…制御部、１５…狭帯域濾波部、１６…第２のＦＳＫ復調部、１７…暗号化キーレス制御情報解読部、１８…制御信号送出部、１９…搬送周波数受信部、２０…温度情報信号生成部、２１…キーレス制御信号生成部、２２、４０…暗号化キーレス情報信号生成部、２３…ＦＳＫ変調部、２４…送信増幅器、２５…受信帯域濾波器、２６…受信増幅器、２７…局部発振器、２８…ミキサー、２９…切替スイッチ部、３０〜３２狭帯域濾波器、３９…狭帯域濾波器選択制御信号生成部、４２…暗号化選択制御信号解読部
【図１】
2008172573.tif 000004
【図２】
2008172573.tif 000005
【図３】
2008172573.tif 000006
【図４】
2008172573.tif 000007
【図５】
2008172573.tif 000008
【図６】
2008172573.tif 000009
【図７】
2008172573.tif 000010
【図８】
2008172573.tif 000011
【図９】
2008172573.tif 000012
【図１０】
2008172573.tif 000013